(57)【要約】      （修正有）【課題】携帯用シート式加熱と低周波両機能を備えた治療器を提供する。【解決手段】収容空間１１２と、収容空間の両側から伸ばす粘着パッド部１２、１３とを含み、一枚に形成する本体装置１０と、低周波パルスと加熱操作制御、稼働素子を含み収容空間に内設する制御主機２１を有し、制御主機の先端に電気コネクタ２１２を設け、電気コネクタによって、充電とデータ読み取りと書き込みの伝送を提供する制御装置２０と、本体装置に取り付け、制御主機と電気接続し、加熱効果を形成する少なくとも一つの加熱装置３０と、粘着パッド部の下方に設け、制御主機と電気接続し、低周波パルスを伝送する少なくとも一つの低周波電極層４０と、収容空間に内設し制御主機と直接に電気接続して、粘着パッド治療器の電源を提供し、電気コネクタまたは電磁によるコンタクトレス方式を充電する電池２１３と、を含む。【選択図】図３
0003203533.tif 000002
【実用新案登録請求の範囲】
【請求項１】
携帯用シート式加熱と低周波両機能を備えた治療器であって、
シート型を形成し、本体部と、前記本体部の両側から外部に伸びる粘着パッド部とを含み、前記本体部に収納単元を有し、前記収納単元に収容空間を有する本体装置と、
収容空間に内設し、制御主機を含み、前記制御主機に関連の加熱と低周波パルスの制御、稼働素子を設ける制御装置と、
前記粘着パッド部の中間層位置に設けられ、加熱シートを含み、前記加熱シートを前記制御主機に電気接続して、加熱機能を有する少なくとも一つの加熱装置と、
前記加熱装置の下方に設けられ、基層を有し、前記基層の下方に低周波電気縞を設け、前記低周波電気縞を前記制御主機に電気接続して、低周波出力を伝送する少なくとも一つの低周波電極層と、
前記収容空間に内設し、制御主機と電気接続して、前記治療器の電源を提供する電池と、を含むことを特徴とする、
携帯用シート式加熱と低周波両機能を備えた治療器。
【請求項２】
そのうち、前記収容空間の上方に表示蓋を形成し、前記表示蓋の上に複数のスイッチと、複数の表示窓を設け、前記スイッチを前記制御装置に電気接続し、前記スイッチは始動スイッチまたは加熱スイッチであることを特徴とする請求項１記載の携帯用シート式加熱と低周波両機能を備えた治療器。
【請求項３】
そのうち、前記収容空間の先端に接続ポート空間を設け、前記接続ポート空間の上方にコネクタ側蓋を設け、前記コネクタ側蓋を前記表示蓋に接合することができ、前記制御主機の先端に電気コネクタを設け、前記電気コネクタは電池の充電及びデータの読み出しと書き込みに用いることを特徴とする請求項２記載の携帯用シート式加熱と低周波両機能を備えた治療器。
【請求項４】
そのうち、前記粘着パッド部はシリコンシート体であり、前記粘着パッド部は前記本体部の遠端にそれぞれ強制御ボタンまたは弱制御ボタンを設け、前記本体部の下方に接触槽を設けることを特徴とする請求項３記載の携帯用シート式加熱と低周波両機能を備えた治療器。
【請求項５】
前記加熱シートは抵抗ペースト、カーボン繊維または加熱シートからなることを特徴とする請求項１記載の携帯用シート式加熱と低周波両機能を備えた治療器。
【請求項６】
そのうち、前記加熱シートの上に銀ペースト印刷により、加熱電気回路縞を形成し、前記加熱電気回路縞を前記制御主機に電気接続することを特徴とする請求項１記載の携帯用シート式加熱と低周波両機能を備えた治療器。
【請求項７】
そのうち、前記制御装置は、前記制御主機を被せる上蓋と底蓋をさらに含むことを特徴とする請求項１記載の携帯用シート式加熱と低周波両機能を備えた治療器。
【請求項８】
そのうち、前記加熱電気回路縞層の上方に拡散シートを設け、前記拡散シートは黒鉛部材からなることを特徴とする請求項１記載の携帯用シート式加熱と低周波両機能を備えた治療器。
【請求項９】
そのうち、前記基層はＰＥＴ部材であることを特徴とする請求項１記載の携帯用シート式加熱と低周波両機能を備えた治療器。
【請求項１０】
そのうち、前記低周波電気縞は銀導電性インクまたはカーボンインキ等その他導電部材を印刷して形成する導電回路であることを特徴とする請求項１記載の携帯用シート式加熱と低周波両機能を備えた治療器。
【請求項１１】
そのうち、前記低周波電気縞の下方に分布層を設けられ、前記分布層は絶縁インキを印刷して形成し、その目的は不要な電極出力を阻止することを特徴とする請求項１記載の携帯用シート式加熱と低周波両機能を備えた治療器。
【請求項１２】
そのうち、前記電池は電磁的コンタクトレスにより充電することを特徴とする請求項１記載の携帯用シート式加熱と低周波両機能を備えた治療器。
【請求項１３】
そのうち、前記制御装置に無線受発信単元を内設し、前記無線受発信単元がワイヤレスリモコン装置と組み合わせて、各種制御及び操作表示することを特徴とする、請求項１に記載の携帯用シート式加熱と低周波両機能を備えた治療器。
【請求項１４】
携帯用シート式加熱と低周波両機能を備えた治療器であって、
シート型を形成し、本体部と、前記本体部の両側から外部に伸びる粘着パッド部とを含み、前記本体部に収納単元を有し、前記収納単元に収容空間を有する本体装置と、
収容空間に内設し、制御回路は制御主機を含み、前記制御主機に関連の加熱と低周波パルスの制御、稼働素子を設ける制御装置と、
前記本体部の下方に設けられ、加熱シートを含み、前記加熱シートの上に加熱電気回路縞を設け、前記加熱電気回路縞を前記制御主機に電気接続して、加熱機能を有する加熱装置と、
前記粘着パッド部に設けられ、前記制御主機に電気接続して、低周波出力を伝送する少なくとも一つの低周波電極層と、
前記収容空間に内設し、制御主機と電気接続して、前記治療器の電源を提供する電池と、を含むことを特徴とする、
携帯用シート式加熱と低周波両機能を備えた治療器。
【請求項１５】
そのうち、前記収容空間の上方に表示蓋を形成し、前記表示蓋の上に複数のスイッチと、複数の表示窓を設け、前記スイッチを前記制御装置に電気接続し、前記スイッチは始動スイッチまたは加熱スイッチであることを特徴とする請求項１４記載の携帯用シート式加熱と低周波両機能を備えた治療器。
【請求項１６】
そのうち、前記収容空間の先端に接続ポート空間を設け、前記接続ポート空間の上方にコネクタ側蓋を設け、前記コネクタ側蓋を前記表示蓋に接合することができ、前記制御主機の先端に電気コネクタを設け、前記電気コネクタは電池の充電及びデータの読み出しと書き込みに用いることを特徴とする請求項１５記載の携帯用シート式加熱と低周波両機能を備えた治療器。
【請求項１７】
そのうち、前記電池は電磁的コンタクトレスにより充電することを特徴とする請求項１４に記載の携帯用シート式加熱と低周波両機能を備えた治療器。
【請求項１８】
そのうち、前記制御装置に無線受発信単元を内設し、前記無線受発信単元がワイヤレスリモコン装置と組み合わせて、各種制御及び操作表示することを特徴とする請求項１４に記載の携帯用シート式加熱と低周波両機能を備えた治療器。
【考案の詳細な説明】
【技術分野】
【０００１】
本考案は医療用治療器に関し、特に加熱と低周波パルスの２つの効果を提供でき、かつ、ワイヤレス線材構造を使用する消費者の携帯に便利で、しかも省電力効果を有する携帯式多効果の低周波治療器に関する。
【背景技術】
【０００２】
現在各種の痛みを治療と緩和するための低周波治療器がある。低周波治療器は密波、疎波、疎密波、のこぎり波及び断続波等の電子パルス波形を流すことによって、痛みの治療と緩和の効果を有する。
一例を挙げると、密波は痛み止め、鎮静、筋肉と血管痙攣の緩解と針刺し麻酔等によく使用され、疎波は弛緩性まひ、各種の筋肉、関節、靭帯、筋腱の損傷等によく使用されている。疎密波は疎波と密波が自動に交互して流される波形であり、痛み止め、捻挫傷、関節周囲炎、気血の運行障害、坐骨神経痛、顔面神経麻痺、筋無力症、局部凍傷等によく使用されている。のこぎり波は、パルス波をノコギリ状に自動に流して改変する起伏状の波であり、横隔神経を刺激して、人口の電動呼吸として、呼吸不全の緊急医療として、神経筋肉の興奮性を向上させ、経絡機能の調節、血行循環の改善等の働きを有する。一方、断続波はリズム的に断続して自動に改変する一種の疎波であり、弛緩性まひ、中風の治療に使用しており、電刺激療法に作用する。
【０００３】
さらに、物理治療で言うと、湿布方式により疼痛治療、リハビリ促進、患部組織の温度を引き上げ、血液循環を加速化し、治癒速度を促進すると共に、痛みの軽減効果がある。
温熱療法は少なくとも（１）疼痛の緩解、（２）筋肉痙攣の軽減、（３）関節部の硬直感の軽減、（４）膠原組織の伸張性の促進、関節の運動性促進、及び（５）血行循環促進の効果がある。
【０００４】
低周波治療器の技術として、図１に示す（中華民国特許公開第ＴＷ２０１１１７８５０Ａ１号）（特許文献１）は、一種のシート式構造の電子低周波パルス接着パッドであって、前記電子低周波パルス接着パッド９０は、軟性の上部蓋本体９１と、中空の支持ケーシング９２と、接続出力伝導フィルム９３と、制御回路単元９４と、ベース９５と、電源供給装置９６と、下部蓋体９７とを含む。
前記電気供給装置９６と、正負の２極電流パルス出力を発生する前記制御回路単元９４を内部に収容して、外観とシート式のシームレス防水体構造を構成して、低周波パルス出力を発生する接着パッド装置として、各種治療と人体の疼痛を緩解する電子接着パッドに適用できる。
【先行技術文献】
【特許文献】
【０００５】
【特許文献１】中華民国特許公開第ＴＷ２０１１１７８５０Ａ１号
【特許文献２】中華民国特許第Ｍ４８０９９８号
【考案の概要】
【考案が解決しようとする課題】
【０００６】
前述したシート式の電子低周波パルス接着パッド構造は人体の疼痛の治療と緩解目的を達成できるものの、なお欠点が残っている。一例として、電子低周波パルス接着パッド９０には電子パルス波の形成効果あるが、加熱接着パッドの湿布効果は加熱及び低周波パルスの単独または交互使用の機能を達成できず、治療効果が限られており理想な設計とは言えない。
【０００７】
さらに、既存の湿布効果の加熱シート構成については、（中華民国特許第Ｍ４８０９９８号）（特許文献２）消費電力が大きいため、交流変圧器を接続しなければならない。さらに、係る交流変圧器の入力端は、家庭用電源と温度制御装置とを組み合わせて使用することから、携帯しての使用には明らかに不利で、使用者が一定の位置に固定され、歩きまわることはできない。この点を併せて改良する必要がある。そのため、公知の電子式低周波治療器と温熱治療装置が持つ前述の欠点と課題を解決することは、業界または有識者が解決、克服すべき重要課題である。
【０００８】
そのため、考案人は公知の電子式低周波治療器と温熱治療器の使用による欠点と、構造が理想でない事実に対して、その解決方法として、一種の加熱と、低周波パルスとを兼ね合わせた機能を有すると共に、有線方式の電源線材の制限を受けず、かつ省電力効果の携帯式治療器の研究開発に努めた結果、本考案を思料した次第である。
【課題を解決するための手段】
【０００９】
本考案の目的は、一種の加熱と低周波パルスと２つの効能を兼ね合わせたシート式治療器を提供することである。単独または交互に組み合わせて作用し、各種疼痛により良い治療、緩解する効果を達成する。
【００１０】
本考案のもう一つの目的は、一種の電子接着パッドが２つの機能を提供できながら、有線の電気線材の制限を受けることなく、より良い携帯利便性と省電力効果を有し、電子接着パッドの応用度、幅と製品効能の競争力を向上できるシート式治療器を提供することである。
【００１１】
前述の目的を達成するため、本考案は以下の技術手段を含む。本体装置と、制御装置と、少なくとも一つの加熱装置と、少なくとも一つの低周波電極層と、電池と、を含む。一枚に形成する本体装置は本体部と、係る本体部の両側から外部に伸ばす粘着パッド部とを含み、本体部に収納単元を有し、係る収納単元に収容空間を有する。収容空間に内設する制御装置は、制御主機を含み、係る制御主機に加熱と低周波パルス制御、稼働素子を設ける。少なくとも一つの加熱装置は、粘着パッド部の中間層に設けていて、係る加熱装置は加熱シートを有し、係る加熱シートに加熱電気回路縞を形成し、係る加熱電気回路縞を制御主機に電気接続して、加熱効果を形成する。少なくとも一つの低周波電極層は、接着パッド層の下方に設け、係る低周波電極層を制御主機に電気接続して、低周波パルスを伝送する。係る電池は収容空間に内設し、制御主機と電気接続して、治療器に電源を供給する。
【００１２】
前述の目的を達成するため、本考案は以下の技術手段を含む。本体装置と、制御装置と、少なくとも一つの加熱装置と、少なくとも一つの低周波電極層と、電池と、を含む。一枚に形成する本体装置は本体部と、係る本体部の両側から外部に伸ばす粘着パッド部とを含み、本体部に収納単元を有し、係る収納単元に収容空間を有する。収容空間に内設する制御装置は、制御主機を含み、係る制御主機に加熱と低周波パルス制御、稼働素子を設ける。少なくとも一つの加熱装置は、本体部（すなわち、２つの粘着パッド部の中央部）に設けていて、係る加熱装置は加熱シートを有し、係る加熱シートに加熱電気回路縞を形成し、係る加熱電気回路縞を制御主機に電気接続して、加熱効果を形成する。少なくとも一つの低周波電極層は、粘着パッド部に設け、係る低周波電極層を制御主機に電気接続して、低周波パルスを伝送する。係る電池は収容空間に内設し、制御主機と電気接続して、治療器に電源を供給する。
【００１３】
前述の構成について、そのうち、収容空間の先端に接続ポート空間を設け、係る接続ポート空間の上方にコネクタ側蓋を設け、係るコネクタ側蓋を表示蓋に接合することができ、係る制御主機の先端部に電気コネクタを設けており、係る電気コネクタが接続ポート空間に位置し、係る電気コネクタによって、充電とデータの読み取りと書き出しに提供できる。
【００１４】
前述の構成において、そのうち、係る粘着パッド部はシリコンシート体であり、係る粘着パッド部が本体部の遠端に強制御ボタンまたは弱制御ボタンをそれぞれ設け、係る本体部の下方に接触槽を設ける。
【００１５】
前述の構成について、そのうち、制御装置は係る制御主機を被せるための上蓋と底蓋を更に含む。
【００１６】
前述の構成について、そのうち、電池は充電電池である。
【００１７】
前述の構成について、そのうち、電池は電磁的コンタクトレス方式により、充電される。
【００１８】
前述の構成について、そのうち、電気コネクタはＵＳＢ規格をサポートしている。
【００１９】
前述の構成について、そのうち、収容空間の上方に表示蓋を形成し、係る表示蓋に複数のスイッチと、複数の表示窓を設け、係るスイッチを制御装置に電気接続し、係るスイッチはスイッチまたは加熱スイッチである。
【００２０】
前述の構成について、そのうち、加熱シートは抵抗ペースト層、カーボン繊維または加熱シートから構成する。
【００２１】
前述の構成について、そのうち、抵抗ペースト層は銀ペースト印刷により、加熱電気回路縞を形成し、係る加熱電気回路縞を制御主機に電気接続する。
【００２２】
前述の構成について、そのうち、係る加熱電気回路縞層の上方に拡散シートを設け、係る拡散シートは黒鉛部材からなる。
【００２３】
前述の構成について、そのうち、係る低周波電極層は、基層を含み、係る基層はＰＥＴ部材であり、係る基層の下方に低周波電気縞を形成し、係る低周波電気縞は銀導電性インクまたはカーボンインキ等その他導電性部材を印刷して、導電回路を形成する。
【００２４】
前述の構成について、そのうち、係る低周波電極縞の下方に分布層を設け、係る分布層は絶縁インキを印刷して形成し、その目的は不要な電極出力を隔てる。
【００２５】
前述の構成について、そのうち、係る制御装置に無線受発信単元を内設し、係る無線受発信単元はワイヤレスリモコン装置と組み合わせて、各種制御及び稼働の表示を行う。
【図面の簡単な説明】
【００２６】
【図１】公知の低周波治療器を示す図である。
【図２】本考案の第１の実施例の立体態様図である。
【図３】本考案の第１の実施例の分解態様図である。
【図４】本考案の第２の実施例の立体態様図である。
【図５】本考案の無線操作制御システムを示す図である。
【図６】本考案の有線操作制御システムを示す図である。
【考案を実施するための形態】
【００２７】
審査官が本案の技術特徴及び達成する効果のさらなる理解及び認識を図るため、好ましい実施態様図と合わせて、以下のとおり詳細に説明する。
【実施例１】
【００２８】
図２と３の、本考案の携帯用シート式加熱と低周波両機能を備えた治療器の第１実施例を参照する。
これらの図面は省略した態様図であり、概略方式をもって、本考案の基本構造を説明するものであり、表示した構成は実施するときの形状と寸法比例に基づいたものではない。実施するときの識別表示、形状及び寸法比例はオプションな設計である。
図に示すように、本考案のシート式粘着パッド治療器１は、本体装置１０と、制御装置２０と、２つの加熱装置３０と、２つの低周波電極層４０と、を含む。本体装置１０はシート型を形成し、本体部１１と、係る本体部１１の両側から外部に伸ばす粘着パッド部１２、１３とを含む。
係る本体部１１は収納単元１１１を有し、収納単元１１１は収容空間１１２を有し、係る収容空間１１２のほぼ中央部の上方に表示蓋１１３を形成し、表示蓋１１３の上に２つのスイッチ１１５と、複数の表示窓１１６を形成し、係る２つのスイッチ１１５を制御装置２０に電気接続し、少なくとも始動スイッチと加熱スイッチとを含み、複数の表示窓１１６は各種仕様状態の表示に使用される。さらに、収容空間１１２の先端部（図３に示す方向）に接続ポート空間１１７を設け、接続ポート空間１１７の上方にコネクタ側蓋１１４を設け、コネクタ側蓋１１４を表示蓋１１３と接合する。
粘着パッド部１２、１３は例えばシリコンシート体（この限りではない）であり、その上にそれぞれ放熱区域１２１、１３１を設け、放熱区域１２１、１３１はそれぞれに複数の放熱穴１２２、１３２を設け、粘着パッド部１２、１３は本体部１１の遠端にそれぞれ強制御ボタン１２３、１２３を設けて、供給電圧（または電流）を制御し調節する。
さらに接触槽１４は例えばシリコン層であり、係る本体部１１の下方に設けて、肌に貼り付けて粘着パッド治療器１を固定することができる。
【００２９】
制御装置２０を本体部１１の収容空間１１２に内設し、制御装置２０は制御主機２１（ＰＣＢＡ）と、上蓋２２と、下蓋２３とを含み、制御主機２１に加熱と低周波パルスの制御、稼働素子（図番なし）、制御主機２１の先端に電気コネクタ２１２を設け（本実施例において、ＵＳＢ電気コネクタ）を設け、係る電気コネクタ２１２が接続ポート空間１１７に位置し、充電及びデータの読み出しと書き込むに用いる。
さらに制御主機２１の後部端に電池２１３を設け、一つの好ましい実施例において、係る電池２１３は例えば充電式電池であり、収容空間１１２に内設し、係る制御主機２１と電気接続して、治療器に電源を供給する。係る電池２１３は電気コネクタ２１２または電磁的コンタクトレス方式により充電することができ、係る上蓋２２と、下蓋２３は係る制御主機２１を被せて、全体を収容空間１１２に内設する。
【００３０】
２つの加熱装置３０をそれぞれ粘着パッド部１２、１３の中間層位置に設け、係る加熱装置３０は加熱シート３１（本実施例において、抵抗ペースト層。ただし、この限りではない。適用するときはカーボン繊維または加熱シートを使用してもよい。）であり、係る加熱シート３１に銀ペースト印刷からなる加熱電気回路縞３１１を有し、係る加熱電気回路縞３１１は制御主機２１に電気接続する電気接続端３２を有し、加熱働きを形成し、係る加熱電気回路縞３１１の上方（図に示す方向、以下同様）はさらに拡散シート３１２を貼り付けても良い。係る拡散シート３１２は黒鉛部材からなり、加熱電気回路縞３１１から発生する熱エネルギーを拡散させ、局所に集中することを防いで、加熱操作に便利する。
【００３１】
低周波電極層４０を加熱装置３０の下方に設け、低周波電極層４０は基層４１を有し、係る基層４１は例えばＰＥＴ部材から構成し、低周波電気縞４２を基層４１の下方に設け、低周波電気縞４２は制御主機２１に隣接する低周波電気回路接続端４２１と、ほぼ低周波電気縞４２の中央部に位置する低周波電気回路縞の中央部４２２とを含み、係る低周波電気回路接続端４２１を制御主機２１に電気接続する。
一つの好ましい実施例において、係る低周波電気縞４２は基層４１の下方に銀導電性インクまたはカーボンインキ等その他導電部材を印刷して、導電回路を形成する。分布層４３を低周波電気縞４２の下方に設け、一つの好ましい実施例において、分布層４３が低周波電気縞４２と、基層４１の下方位置し、絶縁オイルを印刷して形成され、分布層４３の目的は不要な電極出力を阻止して、電流を均一に分布させる。さらに、分布層４３の下方は例えばカーボンインキ層（図示しない）を設けても良い。カーボンインキ層は肌に貼り付けて、低周波電極層４０の低周波を出力させる。
【実施例２】
【００３２】
引き続き図４の、本考案携帯用シート式加熱と低周波両機能を備えた治療器の第２実施例を参照する。
本実施例は第１実施例の構造をベースに変化し設計したものである。同じく本体装置１０はシート型であり、本体部１１と本体部１１の両側から外部に伸ばす粘着パッド部１２、１３を含む。異なる点は以下である。加熱装置３０は本体部１１（本実施例において、本体部の下方に設ける）に設けられ、加熱装置３０は加熱シート３１（本実施例において、抵抗ペースト層である。ただし、この限りではなく、適用するときはカーボン繊維または加熱シートを実施しても良い。）を含み、加熱シート３１に加熱電気回路縞３１１を設け、加熱電気回路縞３１１は電気接続端３２を有し、電気接続端３２を制御主機２１に電気接続して、加熱働きを形成する。さらに、接触層１４を加熱電気回路縞３１１の下方に設け、接触層１４に受付部１４１を有し、加熱電気回路縞３１１を受けて固定して置く。
２つの低周波電極層４０をそれぞれ粘着パッド部１２、１３の下方に設け、導電ゴム層４４を有し、導電ゴム層４４に固定部４４１を設け、導電ゴム層４４の上方に出力制御導線４５を設け、出力制御導線４５の固定部４５１をもって、導電ゴム層４４の固定部４４１に固定し、出力制御導線４５は内側の電極接続端４５２と、外側の電極出力端４５３を有し、電極接続端４５２を制御主機２１に電気接続し、電極出力端４５３は低周波パルスを出力して、低周波治療の働きを形成する。
【００３３】
図５の、本考案携帯用シート式加熱と低周波両機能を備えた治療器による無線制御システム態様図を合わせて参照する。図に示すように、粘着パッド治療器１は制御装置２０の内部に無線受発信単元（図示しない）を設けることによって、粘着パッド治療器１はワイヤレスリモコン装置５０と合わせて、加熱装置３０の加熱処理と低周波電極層４０の低周波治療できるほか、ワイヤレスリモコン装置５０によって、粘着パッド治療器１に各種制御と操作表示できる。このような操作制御方式は、特に体に触れにくい部位に適用でき、使用するときの制御の利便性を有する。
【００３４】
図６の、本考案携帯用シート式加熱と低周波両機能を備えた治療器による有線制御システム態様図を合わせて参照する。図に示すように、粘着パッド治療器１に電気導線６１を接続して、電気コネクタ２１２（例えばＵＳＢ）に挿接し、電気導線６１の他端をコンピュータ６０に挿接することによって、粘着パッド治療器１とコンピュータ６０とをデータ伝送させるか、または粘着パッド治療器１に充電することができる。この構成により、コンピュータ６０を介して、粘着パッド治療器１に各種制御及び操作ができる。このような操作制御方式は、特に体に触れにくい部位に適用でき、使用するときの制御の利便性を有する。
【００３５】
前述した粘着パッド治療器１の有線、無線制御システムから使用の過程を理解することができるとともに、カスタマイズソフトの作成に利便を提供し、本考案は制御装置２０内部の無線受発信単元を介して、対話型ＡＰＰのクラウド運用を提供し、最適化の使用効能及び管理を達成できる。
【００３６】
本考案の携帯用シート式加熱と低周波両機能を備えた治療器は前述の構成により、同時に加熱と低周波パルスの多種効能を使用できる。単独または交互に作用し、より良い治療を達成し、各種疼痛の緩解効果を達成できる。さらに、本考案によれば、電子接着パッドは多機能効果により、極めて良い携帯利便性と省電力の効果を有し、電子接着パッド応用の深さと幅および製品効能の競争力を向上できる。
【００３７】
前述のとおり、本考案は実用新案特許の要件を満足しているため、法により実用新案特許を出願する。以上に説明した本考案の実施例は、本考案の好ましい実施例に過ぎず、本考案に何らの制限を加えるものではない。よって、本考案の実用新案登録請求範囲に掲げた形状、構造、特長および精神に基づいた変更と修飾は、なお本考案の出願範疇に含まれる。
【符号の説明】
【００３８】
１      粘着パッド治療器
１０    本体装置
１１    本体部
１１１  収納単元
１１２  収容空間
１１３  表示蓋
１１４  コネクタ側蓋
１１５  スイッチ
１１６  表示窓
１１７  接続ポート空間
１２    粘着パッド部
１２１  放熱区域
１２２  放熱穴
１２３  強制御ボタン
１３    粘着パッド部
１３１  放熱区域
１３２  放熱穴
１３３  弱制御ボタン
１４    接触層
１４１  受付部
２０    制御装置
２１    制御主機
２１２  コネクタ
２１３  電池
２２    上蓋
２３    底蓋
３０    加熱装置
３１    加熱シート
３１１  加熱電気回路縞
３１２  拡散シート
３２    電気接続端
４０    低周波電極層
４１    基層
４２    低周波電気縞
４２１  低周波電気接続端
４２２  低周波電気縞中央部
４３    分布層
４４    導電ゴム層
４４１  固定部
４５    出力制御導線
４５１  固定部
４５２  電極接続端
４５３  電極出力端
５０    ワイヤレスリモコン装置
６０    コンピュータ
６１    電気導線
【図１】
0003203533.tif 000003
【図２】
0003203533.tif 000004
【図３】
0003203533.tif 000005
【図４】
0003203533.tif 000006
【図５】
0003203533.tif 000007
【図６】
0003203533.tif 000008
【手続補正書】
【提出日】平成28年2月4日(2016.2.4)
【手続補正１】
【補正対象書類名】実用新案登録請求の範囲
【補正対象項目名】全文
【補正方法】変更
【補正の内容】
【実用新案登録請求の範囲】
【請求項１】
携帯用シート式加熱と低周波両機能を備えた治療器であって、
シート型を形成し、本体部と、前記本体部の両側から外部に伸びる粘着パッド部とを含み、前記本体部に収納単元を有し、前記収納単元に収容空間を有する本体装置と、
収容空間に内設し、制御主機を含み、前記制御主機に関連の加熱と低周波パルスの制御、稼働素子を設ける制御装置と、
前記粘着パッド部の中間層位置に設けられ、加熱シートを含み、前記加熱シートを前記制御主機に電気接続して、加熱機能を有する少なくとも一つの加熱装置と、
前記加熱装置の下方に設けられ、基層を有し、前記基層の下方に低周波電気縞を設け、前記低周波電気縞を前記制御主機に電気接続して、低周波出力を伝送する少なくとも一つの低周波電極層と、
前記収容空間に内設し、制御主機と電気接続して、前記治療器の電源を提供する電池と、を含むことを特徴とする、
携帯用シート式加熱と低周波両機能を備えた治療器。
【請求項２】
そのうち、前記収容空間の上方に表示蓋を形成し、前記表示蓋の上に複数のスイッチと、複数の表示窓を設け、前記スイッチを前記制御装置に電気接続し、前記スイッチは始動スイッチまたは加熱スイッチであることを特徴とする請求項１記載の携帯用シート式加熱と低周波両機能を備えた治療器。
【請求項３】
そのうち、前記収容空間の先端に接続ポート空間を設け、前記接続ポート空間の上方にコネクタ側蓋を設け、前記コネクタ側蓋を前記表示蓋に接合することができ、前記制御主機の先端に電気コネクタを設け、前記電気コネクタは電池の充電及びデータの読み出しと書き込みに用いることを特徴とする請求項２記載の携帯用シート式加熱と低周波両機能を備えた治療器。
【請求項４】
そのうち、前記粘着パッド部はシリコンシート体であり、前記粘着パッド部は前記本体部の遠端にそれぞれ強制御ボタンまたは弱制御ボタンを設け、前記本体部の下方に接触槽を設けることを特徴とする請求項３記載の携帯用シート式加熱と低周波両機能を備えた治療器。
【請求項５】
前記加熱シートは抵抗ペースト、カーボン繊維または加熱シートからなることを特徴とする請求項１記載の携帯用シート式加熱と低周波両機能を備えた治療器。
【請求項６】
そのうち、前記加熱シートの上に銀ペースト印刷により、加熱電気回路縞を形成し、前記加熱電気回路縞を前記制御主機に電気接続することを特徴とする請求項１記載の携帯用シート式加熱と低周波両機能を備えた治療器。
【請求項７】
そのうち、前記制御装置は、前記制御主機を被せる上蓋と底蓋をさらに含むことを特徴とする請求項１記載の携帯用シート式加熱と低周波両機能を備えた治療器。
【請求項８】
そのうち、前記加熱電気回路縞の上方に拡散シートを設け、前記拡散シートは黒鉛部材からなることを特徴とする請求項６記載の携帯用シート式加熱と低周波両機能を備えた治療器。
【請求項９】
そのうち、前記基層はＰＥＴ部材であることを特徴とする請求項１記載の携帯用シート式加熱と低周波両機能を備えた治療器。
【請求項１０】
そのうち、前記低周波電気縞は銀導電性インクまたはカーボンインキ等その他導電部材を印刷して形成する導電回路であることを特徴とする請求項１記載の携帯用シート式加熱と低周波両機能を備えた治療器。
【請求項１１】
そのうち、前記低周波電気縞の下方に分布層を設けられ、前記分布層は絶縁インキを印刷して形成し、その目的は不要な電極出力を阻止することを特徴とする請求項１記載の携帯用シート式加熱と低周波両機能を備えた治療器。
【請求項１２】
そのうち、前記電池は電磁的コンタクトレスにより充電することを特徴とする請求項１記載の携帯用シート式加熱と低周波両機能を備えた治療器。
【請求項１３】
そのうち、前記制御装置に無線受発信単元を内設し、前記無線受発信単元がワイヤレスリモコン装置と組み合わせて、各種制御及び操作表示することを特徴とする、請求項１に記載の携帯用シート式加熱と低周波両機能を備えた治療器。
【請求項１４】
携帯用シート式加熱と低周波両機能を備えた治療器であって、
シート型を形成し、本体部と、前記本体部の両側から外部に伸びる粘着パッド部とを含み、前記本体部に収納単元を有し、前記収納単元に収容空間を有する本体装置と、
収容空間に内設し、制御回路は制御主機を含み、前記制御主機に関連の加熱と低周波パルスの制御、稼働素子を設ける制御装置と、
前記本体部の下方に設けられ、加熱シートを含み、前記加熱シートの上に加熱電気回路縞を設け、前記加熱電気回路縞を前記制御主機に電気接続して、加熱機能を有する加熱装置と、
前記粘着パッド部に設けられ、前記制御主機に電気接続して、低周波出力を伝送する少なくとも一つの低周波電極層と、
前記収容空間に内設し、制御主機と電気接続して、前記治療器の電源を提供する電池と、を含むことを特徴とする、
携帯用シート式加熱と低周波両機能を備えた治療器。
【請求項１５】
そのうち、前記収容空間の上方に表示蓋を形成し、前記表示蓋の上に複数のスイッチと、複数の表示窓を設け、前記スイッチを前記制御装置に電気接続し、前記スイッチは始動スイッチまたは加熱スイッチであることを特徴とする請求項１４記載の携帯用シート式加熱と低周波両機能を備えた治療器。
【請求項１６】
そのうち、前記収容空間の先端に接続ポート空間を設け、前記接続ポート空間の上方にコネクタ側蓋を設け、前記コネクタ側蓋を前記表示蓋に接合することができ、前記制御主機の先端に電気コネクタを設け、前記電気コネクタは電池の充電及びデータの読み出しと書き込みに用いることを特徴とする請求項１５記載の携帯用シート式加熱と低周波両機能を備えた治療器。
【請求項１７】
そのうち、前記電池は電磁的コンタクトレスにより充電することを特徴とする請求項１４に記載の携帯用シート式加熱と低周波両機能を備えた治療器。
【請求項１８】
そのうち、前記制御装置に無線受発信単元を内設し、前記無線受発信単元がワイヤレスリモコン装置と組み合わせて、各種制御及び操作表示することを特徴とする請求項１４に記載の携帯用シート式加熱と低周波両機能を備えた治療器。